(57)【特許請求の範囲】
【請求項１】
ロボットを備え、前記ロボットは、目標物を取り出したり放置したりする爪部を備えるロボットのポイント位置調整制御方法において、
目標物を放置するための支持平台に基づいて、空間直交座標系を構築し、前記空間直交座標系は、Ｘ軸、Ｙ軸、Ｚ軸を備え、Ｘ軸とＹ軸とが形成する平面は、前記支持平台に平行し、前記支持平台に設置されている定位治具に基づいて、前記空間直交座標系を構築し、前記定位治具は、固定部及び移動部を備え、前記固定部は、前記支持平台に固定され、且つＬ形状のガイドレールが設けられ、前記移動部は、前記爪部に取り付けられており、前記移動部には、水平センサ及び高度センサが設置され、前記ロボットの爪部の連動によって、前記水平センサは前記ガイドレールに沿ってスライドし、前記水平センサが前記ガイドレールに沿ってスライドする際、前記水平センサは、前記Ｌ形状のガイドレールのデータを読み込み、前記読み込んだデータに基づいて、Ｘ軸及びＹ軸が位置している平面を構築し、前記高度センサが読み込んだデータに基づいて、空間直交座標系のＺ軸を構築するステップと、
前記空間直交座標系を構築した際、１つの提示情報が生成され、前記提示情報によって、前記支持平台における前記目標物を放置する箇所にガイド部材を固定し、前記ロボットの爪部には、前記ガイド部材と同時に使用される固定部材を設置するステップと、
予め設定された規則によって、前記固定部材に対応する前記ガイド部材の位置を調整するステップと、
前記ガイド部材に対向する前記固定部材の位置が正確に調整された際、前記ロボットの爪部のポイント位置の座標値を取得し、且つ前記ロボットの爪部のポイント位置の座標値を保存するステップと、
を備えることを特徴とするロボットのポイント位置調整制御方法。
【請求項２】
前記ガイド部材には、少なくとも１つの固定孔が設けられており、前記固定部材における前記ガイド部材の固定孔に対応する箇所には水平センサが設置され、前記固定部材には、更に高度センサが設置され、前記水平センサ及び前記高度センサには、それぞれ探針が取り付けられており、各探針は、前記ロボットの信号入力ユニット／信号出力ユニットと通信することができ、前記探針が前記ガイド部材と接触した際、前記探針に接続されている前記信号入力ユニット／信号出力ユニットは、第一信号を出力し、前記探針が前記ガイド部材と接触していない場合、前記探針に接続されている信号入力ユニット／信号出力ユニットは、第二信号を出力することを特徴とする請求項１に記載のロボットのポイント位置調整制御方法。
【請求項３】
前記予め設定された規則は、前記探針に接続されている信号入力ユニット／信号出力ユニットが出力した信号に基づいて、前記ガイド部材に対向する前記固定部材の位置を調整することであることを特徴とする請求項２に記載のロボットのポイント位置調整制御方法。
【請求項４】
前記水平センサの探針に接続されている前記信号入力ユニット／信号出力ユニットが第一信号を出力した際、Ｘ軸、或いはＹ軸で前記ガイド部材に対向する前記固定部材の位置を調整して、前記信号入力ユニット／信号出力ユニットが出力した信号を第二信号に変更することを特徴とする請求項３に記載のロボットのポイント位置調整制御方法。
【請求項５】
前記高度センサの探針に接続されている信号入力ユニット／信号出力ユニットが第二信号を出力した場合、Ｚ軸で前記ガイド部材に対向する前記固定部材の位置を調整して、前記信号入力ユニット／信号出力ユニットが出力した信号を第一信号に変更することを特徴とする請求項３に記載のロボットのポイント位置調整制御方法。
【請求項６】
前記水平センサには、３つの探針が取り付けられており、前記３つの探針７２３は、同じ円周上に位置しており、前記固定孔の直径は、第一予設定直径値であり、前記３つの探針が囲んで形成した円周の直径は、第二予設定直径値であり、前記第二予設定直径値は、前記第一予設定直径値より小さいことを特徴とする請求項３に記載のロボットのポイント位置調整制御方法。
【請求項７】
２つの前記信号入力ユニット／信号出力ユニットが同時に前記水平センサの探針に接続され、且つ前記２つの前記信号入力ユニット／信号出力ユニットが出力した信号が第一信号である場合、Ｚ軸を中心軸として前記固定部材を回転させて、前記ガイド部材に対向する前記固定部材の位置を調整し、前記信号入力ユニット／信号出力ユニットが出力した信号を第二信号に変更することを特徴とする請求項６に記載のロボットのポイント位置調整制御方法。
【請求項８】
前記ガイド部材の形状及びサイズは、前記目標物の形状及びサイズと同じであることを特徴とする請求項１に記載のロボットのポイント位置調整制御方法。
【請求項９】
ロボットに用いられ、前記ロボットは、支持平台から目標物を取り出す爪部を備えるロボットのポイント位置調整制御システムにおいて、
目標物を放置するための支持平台に基づいて、空間直交座標系を構築し、前記空間直交座標系は、Ｘ軸、Ｙ軸、Ｚ軸を備え、Ｘ軸とＹ軸とが形成する平面は、前記支持平台に平行し、前記支持平台に設置されている定位治具に基づいて、前記空間直交座標系を構築し、前記定位治具は、固定部及び移動部を備え、前記固定部は、前記支持平台に固定され、且つＬ形状のガイドレールが設けられ、前記移動部は、前記爪部に取り付けられており、前記移動部には、水平センサ及び高度センサが設置され、前記ロボットの爪部の連動によって、前記水平センサは前記ガイドレールに沿ってスライドし、前記水平センサが前記ガイドレールに沿ってスライドする際、前記水平センサは、前記Ｌ形状のガイドレールのデータを読み込み、前記読み込んだデータに基づいて、Ｘ軸及びＹ軸が位置している平面を構築し、前記高度センサが読み込んだデータに基づいて、空間直交座標系のＺ軸を構築する構築モジュールと、
前記空間直交座標系を構築した際、１つの提示情報が生成され、該提示情報によって、前記支持平台における前記目標物を放置する箇所にガイド部材を固定し、前記ロボットの爪部には、前記ガイド部材と同時に使用される固定部材を設置する交互モジュールと、
予め設定された規則によって、前記固定部材に対応する前記ガイド部材の位置を調整する調整モジュールと、
前記ガイド部材に対向する前記固定部材の位置が正確に調整された際、前記ロボットの爪部のポイント位置の座標値を取得し、且つ前記ロボットの爪部のポイント位置の座標値を保存する取得モジュールと、
を備えることを特徴とするロボットのポイント位置調整制御システム。
【請求項１０】
前記ガイド部材には、少なくとも１つの固定孔が設けられており、前記固定部材における前記ガイド部材の固定孔に対応する箇所には水平センサが設置され、前記固定部材には、更に高度センサが設置され、前記水平センサ及び前記高度センサには、それぞれ探針が取り付けられており、各探針は、前記ロボットの信号入力ユニット／信号出力ユニットと通信することができ、前記探針が前記ガイド部材と接触した際、前記探針に接続されている前記信号入力ユニット／信号出力ユニットは、第一信号を出力し、前記探針が前記ガイド部材と接触していない場合、前記探針に接続されている信号入力ユニット／信号出力ユニットは、第二信号を出力することを特徴とする請求項９に記載のロボットのポイント位置調整制御システム。
【請求項１１】
前記予め設定された規則は、前記探針に接続されている信号入力ユニット／信号出力ユニットが出力した信号に基づいて、前記ガイド部材に対向する前記固定部材の位置を調整することであることを特徴とする請求項１０に記載のロボットのポイント位置調整制御システム。
【請求項１２】
前記水平センサの探針に接続されている前記信号入力ユニット／信号出力ユニットが第一信号を出力した際、Ｘ軸、或いはＹ軸で前記ガイド部材に対向する前記固定部材の位置を調整して、前記信号入力ユニット／信号出力ユニットが出力した信号を第二信号に変更することを特徴とする請求項１１に記載のロボットのポイント位置調整制御システム。
【請求項１３】
前記高度センサの探針に接続されている信号入力ユニット／信号出力ユニットが第二信号を出力した場合、Ｚ軸で前記ガイド部材に対向する前記固定部材の位置を調整して、前記信号入力ユニット／信号出力ユニットを第一信号に変更することを特徴とする請求項１１に記載のロボットのポイント位置調整制御システム。
【請求項１４】
前記水平センサには、３つの探針が取り付けられており、前記３つの探針は、同じ円周上に位置しており、前記固定孔の直径は、第一予設定直径値であり、前記３つの探針が囲んで形成した円周の直径は、第二予設定直径値であり、前記第二予設定直径値は、前記第一予設定直径値より小さいことを特徴とする請求項１１に記載のロボットのポイント位置調整制御システム。
【請求項１５】
２つの前記信号入力ユニット／信号出力ユニットが同時に前記水平センサの探針に接続され、且つ前記２つの前記信号入力ユニット／信号出力ユニットが出力した信号が第一信号である場合、Ｚ軸を中心軸として前記固定部材を回転させて、前記ガイド部材に対向する前記固定部材の位置を調整し、前記信号入力ユニット／信号出力ユニットが出力した信号を第二信号に変更することを特徴とする請求項１４に記載のロボットのポイント位置調整制御システム。
【発明の詳細な説明】
【技術分野】
【０００１】
本発明は、ロボット制御に関し、特にロボットが物を取り出したり放置したりする際、ロボットのポイント位置の調整制御方法及びシステムに関するものである。
【背景技術】
【０００２】
近年ロボットは、コンピュータ支援製造(ｃｏｍｐｕｔｅｒ ａｉｄｅｄ  ｍａｎｕｆａｃｔｕｒｅ，ＣＡＭ)に広く応用されて各種の部品を加工している。工業生産において、ロボットは手作業に替わって部品の加工、例えば、プレス加工、ダイカスト、熱処理、溶接、組み立て等に幅広く利用されている。ロボットの一般的な動作は、爪部を利用して物を取り出したり放置したりすることであるが、ロボットの爪部が正確にポイント位置に移動できない場合がある。この際、正確に物を取り出したり放置したりすることができない。
【発明の概要】
【発明が解決しようとする課題】
【０００３】
以上の問題点に鑑みて、本発明は、ロボットが正確に物を取り出したり放置したりすることができるロボットのポイント位置調整制御方法及びシステムを提供することを目的とする。
【課題を解決するための手段】
【０００４】
上記の課題を解決するために、本発明のロボットのポイント位置調整制御方法は、ロボットを備え、ロボットは、目標物を取り出したり放置したりする爪部を備え、目標物を放置するための支持平台に基づいて、空間直交座標系を構築し、空間直交座標系は、Ｘ軸、Ｙ軸、Ｚ軸を備え、Ｘ軸とＹ軸とが形成する平面は、支持平台に平行するステップと、空間直交座標系を構築した際、１つの提示情報が生成され、該提示情報によって、支持平台における目標物を放置する箇所にガイド部材を固定し、ロボットの爪部には、ガイド部材と同時に使用される固定部材を設置するステップと、予め設定された規則によって、固定部材に対応するガイド部材の位置を調整するステップと、ガイド部材に対向する固定部材の位置が正確に調整された際、ロボットの爪部のポイント位置の座標値を取得し、且つロボットの爪部のポイント位置の座標値を保存するステップと、を備える。
【０００５】
上記の課題を解決するために、本発明のロボットのポイント位置調整制御システムは、ロボットに用いられ、ロボットは、支持平台から目標物を取り出す爪部を備え、目標物を放置するための支持平台に基づいて、空間直交座標系を構築し、空間直交座標系は、Ｘ軸、Ｙ軸、Ｚ軸を備え、Ｘ軸とＹ軸とが形成する平面は、支持平台に平行する構築モジュールと、空間直交座標系を構築した際、１つの提示情報が生成され、該提示情報によって、支持平台における目標物を放置する箇所にガイド部材を固定し、ロボットの爪部には、ガイド部材と同時に使用される固定部材を設置する交互モジュールと、予め設定された規則によって、固定部材に対応するガイド部材の位置を調整する調整モジュールと、ガイド部材に対向する固定部材の位置が正確に調整された際、ロボットの爪部のポイント位置の座標値を取得し、且つロボットの爪部のポイント位置の座標値を保存する取得モジュールと、を備える。
【発明の効果】
【０００６】
本発明のロボットのポイント位置調整制御方法及びシステムは、ロボットの爪部が目標物を取り出したり放置したりできるように、ロボットの爪部のポイント位置を自動調整するため、生産効率を向上させることができる。
【図面の簡単な説明】
【０００７】
【図１】本発明の実施形態に係るロボットの作業環境を示す図である。
【図２】図１に示したＩＩ箇所の拡大図である。
【図３】本発明の実施形態に係るロボットのポイント位置調整制御システムが応用するハードウェア環境を示す図である。
【図４】本発明の実施形態に係るロボットのポイント位置調整制御システムの機能モジュールを示す図である。
【図５】本発明の実施形態に係るロボットのポイント位置調整制御方法の流れ図である。
【図６】本発明の実施形態に係るロボットのポイント位置調整制御システムにおける空間直交座標系を構築する定位治具の斜視図である。
【図７】図６に示した定位治具の分解斜視図である。
【図８】本発明の実施形態に係るロボットのポイント位置調整制御システムにおけるガイド部材及びガイド部材と同時に使用される固定部材の斜視図である。
【図９】図８に示したガイド部材及びガイド部材と同時に使用される固定部材の分解斜視図である。
【発明を実施するための形態】
【０００８】
図１及び図２に示したように、ロボット２０は、爪部２４を備え、爪部２４は、物を取り出すことに用いられる。本実施形態において、爪部２４の数量は２つである。ロボット２０の作業過程において、ロボット２０は、目標物４０を支持平台３０へ運搬するか、或いは支持平台３０上から目標物４０を取り出す。ロボット２０が正確に目標物４０を取り出す、或いは放置するために、ロボット２０の空間直交座標系を予め構築して、ロボット２０が正確に目標物４０を取り出す際に爪部２４が位置すべき位置の座標をロボット２０に設定する。本実施形態において、ロボット２０の爪部２４が位置すべき位置の座標はロボットのポイント位置である。つまり、ロボットのポイント位置は、ロボット２０が正確に作業できるかどうかを決める。
【０００９】
図３に示したように、本実施形態において、ロボットのポイント位置調整制御システム１０は、１つのロボット２０にインストールされており、且つロボット２０内で動作する。ロボット２０は、入出力ユニット２１、記憶装置２２及び制御器２３を備えるが、これらの部材に限定されない。ユーザは、入出力ユニット２１によって対応する命令を入力し、入出力ユニット２１は、ユーザが入力した対応する情報の内容を表示してユーザに見せる。本実施形態において、入出力ユニット２１は、入出力機能を有するタッチパネル（図示せず）を備える。他の実施形態において、入出力ユニット２１は、キーパッド（図示せず）、タッチパネル等の入力装置、及びディスプレイ等の出力装置を備える。記憶装置２２は、ロボット２０のメモリであるが、セキュアデジタルカード、スマートメディアカード、フラッシュメモリカード等の外部の記憶装置であってもよい。記憶装置２２は、ロボットのポイント位置調整制御システム１０のプログラムコード及び他のデータを保存することに用いられる。制御器２３は、ロボット２０の作業を制御することに用いられる。制御器２３は、中央処理装置、シングルチップマイコン、デジタルシグナルプロセッサ等である。
【００１０】
ロボットのポイント位置調整制御システム１０は、目標物４０を放置するための支持平台３０に基づいて空間直交座標系を構築する。空間直交座標系は、Ｘ軸、Ｙ軸、Ｚ軸を備え、Ｘ軸とＹ軸とが形成する平面は支持平台３０に平行する。空間直交座標系が構築された後、ロボットのポイント位置調整制御システム１０は１つの提示情報を生成し、該提示情報に応答して支持平台３０上の目標物４０を放置する箇所にガイド部材７１が固定され、ロボット２０の爪部２４には、該ガイド部材７１と同時に使用される固定部材７２が設置される（図８を参照）。予め設定された規則に基づいて、ガイド部材７１に対する固定部材７２の位置を調整する。ガイド部材７１に対向する固定部材７２の位置を正確に調整した後、固定部材７２の調整後の位置に基づいて、ロボット２０の爪部２４の位置を決める。つまり、ロボットのポイント位置調整制御システム１０を介して、ガイド部材７１に対向する固定部材７２の位置を調整し、ロボット２０の爪部２４が目標物４０を取り出したり放置したりする際の爪部２４の正確な位置を決めることができる。
【００１１】
図４を参照すると、ロボットのポイント位置調整制御システム１０は、構築モジュール１１、交互モジュール１２、調整モジュール１３、判断モジュール１４及び取得モジュール１５を備える。本発明において、モジュールとは、ロボット２０の制御器２３によって実行され且つ特定の機能を持つプログラムセグメント、或いは制御器２３にインストールされたファームウェアである。
【００１２】
図５を併せて参照すると、ロボットのポイント位置調整制御方法は以下のステップ（Ｓ５１〜Ｓ５５）を備える。他の実施形態において、実際の要求に応じてステップの順番を変更したり、或いはあるステップを省略してもよい。ステップＳ５１において、構築モジュール１１は、目標物４０を放置するための支持平台３０に基づいて、空間直交座標系を構築する。空間直交座標系は、Ｘ軸、Ｙ軸、Ｚ軸を備える。Ｘ軸とＹ軸とが形成する平面は支持平台３０に平行する。
【００１３】
本実施形態において、構築モジュール１１は、支持平台３０に設置されている定位治具６０に基づいて、空間直交座標系を構築する（図６を参照）。
【００１４】
図６及び図７を併せて参照すると、定位治具６０は、固定部６１及び移動部６２を備える。固定部６１は、ネジを介して支持平台３０に固定されている。また固定部６１には、Ｌ形状のガイドレール６１１が設けられている。移動部６２は、爪部２４上に取り付けられている。移動部６２には、水平センサ６２１及び高度センサ６２２が設置されており、ロボット２０の爪部２４の連動によって、水平センサ６２１はガイドレール６１１に沿ってスライドする。水平センサ６２１には、探針６２３が取り付けられている。水平センサ６２１がガイドレール６１１に沿ってスライドする際、水平センサ６２１のスライドにより、探針６２３はＬ形状のガイドレール６１１の両辺に対応するデータを読み込み、構築モジュール１１は、この水平センサ６２１の探針６２３が読み込んだデータに基づいて、Ｘ軸及びＹ軸が位置している平面を構築する。また、高度センサ６２２にも探針６２３が取り付けられており、構築モジュール１１は、当該高度センサ６２２の探針６２３が読み込んだデータに基づいて、空間直交座標系のＺ軸を構築する。
【００１５】
ステップＳ５２において、構築モジュール１１が空間直交座標系を構築した際、交互モジュール１２は１つの提示情報を生成し、該提示情報は入出力ユニット２１に表示され、ユーザは、表示された該提示情報に基づいて、支持平台３０における目標物４０を放置する箇所にガイド部材７１を固定し、ロボット２０の爪部２４には、ガイド部材７１と同時に使用される固定部材７２を設置する。ユーザが表示された提示情報の操作を全て完了した後、交互モジュール１２は、入出力ユニット２１によって該提示情報に対応する操作の完了を知らせるフィードバック命令を入力する。
【００１６】
図８及び図９を併せて参照すると、ガイド部材７１は、ネジ或いは固定ピン（図示せず）を介して、支持平台３０における目標物４０を放置する箇所に固定される。ガイド部材７１には、少なくとも１つの固定孔７１１が設けられている。本実施形態において、固定孔７１１の数量は２つである。ガイド部材７１は、底板７１２及び該底板７１２に設けられている突起部７１３を備える。固定孔７１１は、突起部７１３に設けられている。爪部２４が目標物４０を取り出したり放置したりする際、爪部２４の位置を正確に確認するために、ガイド部材７１の形状及びサイズは、目標物４０の形状及びサイズと同じである。
【００１７】
固定部材７２におけるガイド部材７１の固定孔７１１に対応する箇所には、水平センサ７２１が設置されている。本実施形態において、固定部材７２には、２つの水平センサ７２１が設置されている。固定部材７２には、更に高度センサ７２２が設置されている。２つの水平センサ７２１は、互いに対向するように高度センサ７２２の両側に設置されている。水平センサ７２１及び高度センサ７２２には、それぞれ探針７２３が取り付けられている。本実施形態において、水平センサ７２１には、３つの探針７２３が取り付けられており、該３つの探針７２３は、同じ円周上に位置する。各探針７２３は、ロボット２０の信号入力ユニット／信号出力ユニット（図示せず）と通信することができる。探針７２３がガイド部材７１と接触した際、探針７２３に接続されている信号入力ユニット／信号出力ユニットは入出力ユニット２１を制御する。この際、入出力ユニット２１には第一信号（例えば、１）が表示される。また、探針７２３がガイド部材７１と接触していない場合、探針７２３に接続されている信号入力ユニット／信号出力ユニットは入出力ユニット２１を制御する。この際、入出力ユニット２１には第二信号（例えば、０）が表示される。
【００１８】
本実施形態において、固定孔７１１の直径は、第一予設定直径値（例えば、６．２ｃｍ）であり、水平センサ７２１の３つの探針７２３が囲んで形成した円周の直径は、第二予設定直径値（例えば、６．０ｃｍ）である。第二予設定直径値は、第一予設定直径値より小さい。
【００１９】
ステップＳ５３において、交互モジュール１２が、ユーザの提示情報に対応する操作が完了したとの命令を受信すると、調整モジュール１３は、予め設定された規則によってガイド部材７１に対向する固定部材７２の位置を調整する。
【００２０】
詳しく説明すると、探針７２３に接続されている信号入力ユニット／信号出力ユニットは、入出力ユニット２１を制御して入出力ユニット２１に信号を出力させ、調整モジュール１３は、この信号に基づいてガイド部材７１に対向する固定部材７２の位置を調整する。探針７２３に接続されている信号入力ユニット／信号出力ユニットが、入出力ユニット２１を制御して入出力ユニット２１に出力させた信号が第一信号である場合、調整モジュール１３は、予め設定された規則に基づいて、ガイド部材７１に対向する固定部材７２の位置を調整して、信号入力ユニット／信号出力ユニットが出力した信号を第二信号に変える。ここで予め設定された規則とは、Ｘ軸、Ｙ軸、Ｚ軸に沿って移動する１つの行程、或いはＺ軸を中心軸として回転する１つの行程のことである。各行程は、固定部材７２におけるガイド部材７１の位置を予め設定された位置値（例えば、０．０５ｍｍ）に変更する。
【００２１】
１つの信号入力ユニット／信号出力ユニットが、水平センサ７２１の探針７２３に接続され、出力された信号が第一信号である場合、調整モジュール１３は、Ｘ軸、或いはＹ軸でガイド部材７１に対向する固定部材７２の位置を調整して、信号入力ユニット／信号出力ユニットが出力した信号を第二信号に変更する。２つの信号入力ユニット／信号出力ユニットが同時に水平センサ７２１の探針７２３に接続された後、出力された信号が第一信号である場合、調整モジュール１３は、Ｚ軸を中心軸として固定部材７２を回転させて、ガイド部材７１に対向する固定部材７２の位置を調整し、信号入力ユニット／信号出力ユニットが出力した信号を第二信号に変更する。高度センサ７２２の探針７２３に接続されている信号入力ユニット／信号出力ユニットが第二信号を出力した場合、調整モジュール１３は、Ｚ軸でガイド部材７１に対向する固定部材７２の位置を調整して、信号入力ユニット／信号出力ユニットが出力した信号を第一信号に変更する。
【００２２】
ステップＳ５４において、判断モジュール１４は、ガイド部材７１に対向する固定部材７２の調整位置が正確かどうかを判断し、調整位置が正確である場合、ステップＳ５５に進み、調整位置が正確でない場合、ステップＳ５３に戻る。
【００２３】
本実施形態において、固定部材７２の水平センサ７２１の探針７２３がそれぞれガイド部材７１と接触せず、固定部材７２の高度センサ７２２の探針７２３がガイド部材７１と接触した場合、水平センサ７２１に接続されている信号入力ユニット／信号出力ユニットが出力した信号はそれぞれ第二信号である。高度センサ７２２に接続されている信号入力ユニット／信号出力ユニットが出力した信号が第一信号である場合、判断モジュール１４は、ガイド部材７１に対向する固定部材７２の調整位置が正確かどうかを判断する。これにより、ロボット２０の爪部２４は、正確に目標物４０を取り出すことができる。
【００２４】
ステップＳ５５において、ガイド部材７１に対向する固定部材７２の位置が正確に調整された際、取得モジュール１５は、ロボット２０の爪部２４のポイント位置の座標値を取得し、且つロボット２０の爪部２４のポイント位置の座標値を保存する。
【００２５】
本実施形態において、ポイント位置の座標値は、ロボット２０の爪部２４の空間直交座標系中の座標値である。
【００２６】
本発明のロボットのポイント位置調整制御方法及びシステムは、目標物４０を放置するための支持平台３０に基づいて空間直交座標系を構築し、空間直交座標系を構築した後ユーザに提示して、支持平台３０における目標物４０を放置する箇所に１つのガイド部材７１を固定し、ロボット２０の爪部２４には、ガイド部材７１と同時に使用される固定部材７２を設置する。続けて、予め設定された規則によって、固定部材７２に対応するガイド部材７１の位置を調整する。ガイド部材７１に対向する固定部材７２の調整位置が正確である場合、調整後の固定部材７２の位置によってロボット２０の爪部２４の位置を確定する。つまり、本発明のロボットのポイント位置調整制御方法及びシステムは、ロボット２０の爪部２４が目標物４０を取り出したり放置したりできるように、ロボット２０の爪部２４のポイント位置を自動調整するため、生産効率を向上させることができる。
【符号の説明】
【００２７】
１０  ロボットのポイント位置調整制御システム
１１  構築モジュール
１２  交互モジュール
１３  調整モジュール
１４  判断モジュール
１５  取得モジュール
２０  ロボット
２１  入出力ユニット
２２  記憶装置
２３  制御器
２４  爪部
３０  支持平台
４０  目標物
６０  定位治具
６１  固定部
６１１  ガイドレール
６２  移動部
６２１，７２１  水平センサ
６２２，７２２  高度センサ
６２３，７２３  探針
７１  ガイド部材
７１１  固定孔
７１２  底板
７１３  突起部
７２  固定部材
【図１】
0006643171.tif 000002
【図２】
0006643171.tif 000003
【図３】
0006643171.tif 000004
【図４】
0006643171.tif 000005
【図５】
0006643171.tif 000006
【図６】
0006643171.tif 000007
【図７】
0006643171.tif 000008
【図８】
0006643171.tif 000009
【図９】
0006643171.tif 000010